Podtech/llm-jp-corpus-v4-ja_patent huggingface dataset:
(57)【要約】      （修正有）【課題】安全かつ臭いや味に影響を与えず、液だれしない食品機械用潤滑剤の提供。【解決手段】食用蜜蝋１〜１５％と食用油９９〜８５％とからなる潤滑剤を用いることが有効であることを見出した。【選択図】  なし【特許請求の範囲】
【請求項１】
食用蜜蝋と食用油とからなる食品機械用潤滑剤。
【請求項２】
食用蜜蝋が１〜１５％、食用油が９９〜８５％であることを特徴とする請求項１記載の食品機械用潤滑剤。
【請求項３】
食用油が食用サフラワー油６４〜３０％、食用ヤシ油及びパーム油２０〜３０％、食用綿実油１５〜２５％であることを特徴とする請求項１又は２記載の食品機械用潤滑剤。
【発明の詳細な説明】
【技術分野】
【０００１】
安全かつ液だれしない食品機械用潤滑剤に関する。
【背景技術】
【０００２】
従来、食品機械用潤滑剤としては流動パラフィンが主流である。しかしながら流動パラフィンは石油生成物であり発がん性物質等の有害な不純物を含む危険性があること、大量に使用すると下痢を起すことがあり、長時間大量に連用すると消化器障害やビタミンの吸収阻害を起す恐れがあると言われている。
【０００３】
従って、日本では食品衛生法によりその使用について制限が設けられ、使用用途がパンの製造工程におけるパン生地の自動分割機による分割の際、カッターに生地が粘着しないようにデバイダーオイルとしての使用及びパンを焙焼する際のパンと型箱との離型を容易にするための使用(パンへの残存量０．１％以下)目的以外認められていないのが現状である。
また流動パラフィンは液だれし易いという欠点も有していた。
そこで、食品機械用潤滑剤として安全で効果的なものの開発が望まれているところである。
【発明の開示】
【発明が解決しようとする課題】
【０００４】
本発明は、安全かつ臭いや味に影響を与えず、液だれしない食品機械用潤滑剤の開発を課題とする。
【課題を解決するための手段】
【０００５】
本発明者等は、上記課題を解決するために鋭意努力した結果、蜜蝋と食用油とからなる潤滑剤が有効であることを見出し、本発明を完成した。
すなわち、本発明は
（１）食用蜜蝋と食用油とからなる食品機械用潤滑剤、
（２）食用蜜蝋が１〜１５％、食用油が９９〜８５％であることを特徴とする（１）記載の食品機械用潤滑剤、
（３）食用油が食用サフラワー油６４〜３０％、食用ヤシ油及びパーム油２０〜３０％、食用綿実油１５〜２５％であることを特徴とする（１）又は（２）記載の食品機械用潤滑剤
に関する。
【０００６】
本発明は、食品機械用潤滑剤として食品添加物として安全であることが証明されている
蜜蝋と食用油を用いていることを特徴とし、特に蜜蝋は粘性が高く液だれ防止にも有効である。
【０００７】
食用油としてはサフラワー油、ヤシ油、パーム油、綿実油、菜種油、ひまわり油、ゴマ油、大豆油及びオリーブ油等が用いられるが、特に食用サフラワー油、食用ヤシ油、パーム油及び食用綿実油が効果的である。
【０００８】
蜜蝋は、１〜１５％が好ましく、１５％以上であると潤滑剤としての機能が低下するとともに食品の味に影響を与え、また１％以下では液だれ防止効果がなく好ましくない。
【０００９】
食用油は、食品への臭いの移行及び味への影響を官能検査したところ、食用サフラワー油６４〜３０％、食用ヤシ油及びパーム油２０〜３０％、食用綿実油１５〜２５％の各範囲内であれば問題がないことがわかった。なお、食用ヤシ油及びパーム油の比率はトータルで２０〜３０％であれば良いこともわかった。
また、通常潤滑剤に添加される微量成分については必要に応じて添加することは許容される。
【００１０】
本発明品は、液だれしにくいため湾曲したところにも付着させることができるという効果もある。
また、形態としては液状、グリース状等があるが液だれ防止のためにはグリース状のほうが好ましい。
【発明の効果】
【００１１】
本発明によって、安全かつ臭いや味に影響を与えず、液だれしない食品機械用潤滑剤を提供することができる。
【発明を実施するための最良の形態】
【００１２】
本発明をより具体的に説明するために以下の実施例を示す。
【実施例】
【００１３】
以下の処方により食品機械用潤滑剤を作成した。
食用蜜蝋                  １０％
食用サフラワー油          ４０％
食用ヤシ油、パーム油      ３０％
食用綿実油                ２０％
【００１４】
上記処方により作成した食品機械用潤滑剤を、パン生地の自動分割機による分割に際してカッターに落下させ、またパンを焙焼する際に型箱に粘液状にして塗布し離型させたところ、流動パラフィン同様に効果的な潤滑剤としての役割を果すと同時に、液だれもなくまた食品への臭いの移行や味への影響も全くないことが判明した。
【００１５】
さらに上記食品機械用潤滑剤を製菓機械における離型工程で用いたところ、同様に液だれもなく食品への臭いの移行や味への影響もなく効果的な潤滑剤であった。
(57)【要約】【課題】  両面テープを使用する際、粘着保護紙（２）をテープから剥がすのが非常に困難であった。これを解決する両面テープを提供する。【解決手段】  両面テープの粘着部分保護の紙（２）を少し厚めに作り、鱗状の切り込み（４）を入れることによって、テープを貼り付け時に保護紙を剥がす際、ツマミ（１）としてこの部分を指で挟むことにより簡単に剥がすことができる。【選択図】  図１
2005179621.tif 000002
【特許請求の範囲】
【請求項１】
両面テープの剥がす紙を少し厚めにし、鱗状の切り込みの入った両面テープ。
【発明の詳細な説明】
【発明の詳細な説明】
【発明の属する技術的な分野】
【０００１】この発明は、両面テープの剥がす紙を少し厚めにし、鱗状の切り込み（４）を入れることによって貼り付け後、つまみ部分（１）となって剥がし易くした両面テープに関するものである。
【背景技術】
【０００２】従来は、両面テープを剥がす際、指でつまんで剥がす部分が無く、剥がすのが困難である。
【発明が解決しようとする課題】
【０００３】従来の両面テープでは、両面テープの使用時に貼り付けた後、粘着部分保護のために付着している紙を剥がす際に剥がしにくい状態であり、本発明は、この欠点を解消するためのものである
【課題を解決するための手段】
【０００４】両面テープに付着している片側の粘着性を保護する紙（２）を少し厚めに作り、そこに鱗状のツマミとなるような切込み（４）を入れておく。この鱗状のツマミ部分（１）を両面テープ使用時に摘まむことによって欠点を解消することができた。
【発明を実施するための最良の形態】
【０００５】両面テープの粘着保護紙（２）を厚めに作り、鱗状の切り込み（４）を作る。両面テープを貼り、その後、保護紙を剥がす際、鱗状の切り込み部分をツマミ（１）として使用し、指で挟んで剥がす。これにより簡単に粘着部分の保護紙を剥がすことができる。
【発明の効果】
【０００６】鱗状になっていることがツマミとしての効果を発揮し、簡単に粘着保護紙（２）を粘着部分（３）から剥がすことができる。
【図面の簡単な説明】
【図１】本発明の斜視図である。
【図２】本発明の実施例を示す斜視図である。
【符号の説明】
１  鱗状のつまみ部分  ２  粘着保護紙  ３  粘着部分
４  鱗状の切り込み部分
【図１】
2005179621.tif 000003
【図２】
2005179621.tif 000004
(57)【要約】【課題】勉強の場面やゴルフプレイの場面で、周囲から目に飛び込んでくる無関係な物から視界を狭めることにより、周囲への目移りが生じ注意が散漫になり神経を集中しにくいという問題を解決し、勉強やプレイの成績を上げたい。【解決手段】課題を解決する手段として、顔の額部分（帽子の鍔に当たる部分）と両頬面の３面の視界を狭めることが出来るよう、バイザーを帽子や眼鏡に装着することを発明した。その結果、周囲の視界を狭めることが出来、勉強に取りかかるとき、あるいはゴルフプレイをするときに周囲への目移りを防ぎ神経を集中させることが出来、且つ手をバイザー代わりに使わずに済むので両手を自由に使えるようにすることが出来る。【選択図】図１
2005179875.tif 000002
【特許請求の範囲】
【請求項１】
顔の額部分（帽子の鍔に当たる部分）と両頬面の３面から構成され、眼鏡又は帽子に装着することにより、勉強やゴルフプレイなどの注意が散漫になりやすい環境で、周囲の視界を遮り、集中力を増すことを特徴とするバイザー。
【発明の詳細な説明】
【技術分野】
【０００１】  本発明は、注意が散漫になりやすい環境で、周囲の視界をさえぎり集中力を増すためのバイザーに関するものである
【背景技術】
【０００２】  勉強に取りかかるときに、すぐさま集中することはなかなか難しい。机の上に置いてある種々の書物、道具等に目が移り注意が散漫になりやすい。【０００３】  学校や塾の自習室は周りに気が散らないよう一人ずつの間仕切りが設けてある。【０００４】  ゴルフプレイのパッティングの際に、両手を両頬と額に当てて視界を狭めた上でグリーンの芝の状態を観察するとボールの転がりの軌道が読める。【０００５】  ゴルフプレイのショットの際に、目離れをしないようボールに神経を集中しているつもりでも、ショットの瞬間にどうしても目離れをしてしまいヘッドアップになり、球筋に支障をきたしがちである。
【発明の開示】
【発明が解決しようとする課題】
【０００６】  解決しようとする問題点は、勉強の場面やゴルフプレイの場面で、周囲の無関係な物への目移りにより注意が散漫になり神経を集中出来ず勉強やプレイの効果が上がらない点にある。
【課題を解決するための手段】
【０００７】  本発明は、顔の額部分（帽子の鍔に当たる部分）と両頬面の３面の視界を狭めることが出来るよう、バイザーを帽子や眼鏡に装着することで課題解決の手段とした。
【発明の効果】
【０００８】  本発明の目移り防止用バイザーは、勉強を始めようとするときやゴルフプレイをするときに、周囲から目に飛び込んでくる無関係な物から視界を遮ることにより、雑念を払い神経を集中できるので勉強やゴルフの効果が上げられ、且つ手をバイザー代わりに使わずに済むので両手を自由に使えるという効果も得られる。
【発明を実施するための最良の形態】
【０００９】  バイザーは、顔の額部分（帽子の鍔に当たる部分）と両頬面の３面からなり、それぞれの面の境目に折り目を設け使用時と不要時の際に折り曲げられるよう構成した。
【実施例】
【００１０】  本発明の基本の形態は、顔の額部分と両頬面の３面のバイザーを具備しており、３面の境目を折り曲げて両頬面の視界を狭めることができ、不要の時は伸ばして日焼け防止に応用するか逆に上向きに折り曲げて収納し、帽子や眼鏡に装着するか帽子や眼鏡と一体型として制作することが出来る。
【産業上の利用可能性】
【００１１】  自宅学習の部屋、学校での自習教室、図書館、研究室等勉強を行う環境で利用出来る。【００１２】  ゴルフプレイのショットやパッティングで利用出来る。
【図面の簡単な説明】
【００１３】
【図１】図１は帽子の鍔の両側即ち両頬面にバイザーを取り付けた本発明の基本形態を示す斜視図である。
【００１４】
【図２】図２は両頬面のバイザーが不要の時、両方のバイザーを横に跳ね上げ日焼け防止用に横に広げた状態を示す斜視図である。
【符号の説明】
【００１５】  １  額バイザー  ２  頬バイザー
【図１】
2005179875.tif 000003
【図２】
2005179875.tif 000004
(57)【要約】【課題】手入れが面倒で常に汚れがつき、かび、ぬめりなどが発生する台所の生ゴミ入れを汚れがつきにくく洗浄しやすい形にし，市販の入手しやすい水切り袋が使え、また害虫が侵入しにくく，見た目にも衛生的な三角コーナーを提供する。【解決手段】本発明の三角コーナーは生ゴミとの接触面を少なくする為に底を取り払った形にしまた，内容物が見えずかつ、水切れが良く，本体の下部から害虫が入り込まないよう図２のように本体下部２は低いアーチ型にする。市販の水切り袋を市販の一般的な輪ゴムで本体１に図３のように底につかないように，装着する。蓋３をつけることで害虫の上からの侵入を防ぎ，本体使用時に邪魔にならないよう図１のように鉤型の取っ手４で本体の側面に掛ける。【選択図】  図１
2005179054.tif 000002
【特許請求の範囲】
【請求項１】
生ゴミとの接触面を少なくする為に底を取り払い，内容物が横から見えず又，害虫が下部から入り込まず、かつ流し台との接地面が，最小限になるよう本体下部を、低いアーチ型にした三角コーナー。
【請求項２】
請求項１に市販の不特定の水切り袋を，市販の一般的な輪ゴムで底につかないように装着し夜間もしくは，使用しない時には鉤型の取っ手がついた蓋をかぶせることで、害虫を防ぎ本体使用時には本体側面に掛けられるようにした三角コーナー。
【発明の詳細な説明】
【技術分野】
【０００１】本発明は、手入れが面倒で不潔になりやすい、台所の生ゴミ入れを汚れがつきにくく、洗浄しやすくし、また蓋を付けることで害虫を防ぐことができる三角コーナーを提供する。
【背景技術】
【０００２】従来のミ角コーナーは水切り穴が常に汚れやすく手入れを怠ると、ぬめりやカビを生じ悩みの種であった。それを解消するためにホルダー型のものが市販されているが専用の水切り袋が必要でありコストが高くつく、また生ゴミがむきだしのため害虫がつきやすく生ゴミの量が少なくても毎日、処分しなければならなかった。
【発明が解決しようとする課題】
【０００３】手入れが簡単で、汚れがつきにくく、害虫の侵入をふせぎ、かつ市販の不特定の水切り袋が、使用できるようにする。
【課題を解決するための手段】
【０００４】本発明の三角コーナーは生ゴミとの接触面を少なくするために、底を取り払った形にしまた、内容物が見えずかつ、水切れが良く、本体の下部から害虫が入り込まないように図２のように、本体下部２は低いアーチ型にする。
市販の水切り袋をこれも市販の一般的な輪ゴムで本体１に図３のように底につかないように、装着する。
蓋３をつけることで害虫の上からの侵入を防ぎ、本体使用時邪魔にならないように鉤型の取っ手４で図１のように本体の横に取り付ける。
【発明の効果】
【０００５】本発明の三角コーナーにおいては生ゴミとの接触面が少なく又、流し台との接地面が最小である。その為水切れが良く、汚れやかび、ぬめりが従来のものに比べると格段に少なくなり、又汚れがついても本体の内部側面と、流し台との接地面を簡単な洗浄で取り除くことができる。
【０００６】本発明の三角コーナーにおいては専用の水切り袋は不必要で、水切り袋の装着も、実に簡単で手軽である。
【０００７】本発明の三角コーナーにおいては蓋をかぶせることで害虫の侵入を防ぎ、内容物が見えなくなることで清潔感があり，寒冷期や生ゴミが少ないときには毎日処分する必要が無くなる。又使用時に置き場所に困る蓋は鉤型の取っ手で本体の側面に掛け邪魔にならない。
【発明を実施するための形態】
【０００８】  従来の三角コーナー同様流し台の隅に設置し，三角コーナー本体に市販の不特定のメーカーの水切り袋を輪ゴムで装着して使用する。
図３は本発明の実施例の断面図で，水切り袋５は本体の底につかない程度に水切り袋の折り返し部分で調節して輪ゴム６でとめる。こうすることで，生ゴミの水分のきれが良くなると同時に流し台上の水に触れることが無い。
三角コーナー使用時には図１のように蓋についている鉤型の取っ手で本体側面に掛け，使用しないとき又，夜間には蓋をかぶせる。
【図面の簡単な説明】
【図１】本発明の使用状態を示す斜視図である。
【図２】本発明の側面図である。
【図３】本発明の断面図である。
【符号の説明】
１  三角コーナー本体
２  本体下部
３  蓋
４  取っ手
５  水切り袋
６  輪ゴム
【図１】
2005179054.tif 000003
【図２】
2005179054.tif 000004
【図３】
2005179054.tif 000005
(57)【要約】【課題】白髪一時染毛剤の中味に蛋白質着色剤ジヒドロキシアセトン（ＤＨＡ：１，３−Ｄｉｈｙｄｏｘｙ−２−Ｐｒｏｐａｎｏｎｅ）を配合することで洗髪後も白髪が目立たなくなることを課題とする。【解決手段】白髪一時染毛剤の中味に蛋白質着色剤ジヒドロキシアセトンを配合することで白髪を染色し、洗髪後も白髪が目立たなくすることに役立てる。【選択図】図１
2005179327.tif 000002
【特許請求の範囲】
【請求項１】
中味に蛋白質着色剤ジヒドロキシアセトン（ＤＨＡ：１，３−Ｄｉｈｙｄｏｘｙ−２−Ｐｒｏｐａｎｏｎｅ以下同）を配合する事で白髪が染色され、洗髪後も白髪が目立たなくなる白髪一時染毛剤
【発明の詳細な説明】
【発明の詳細な説明】
【技術分野】
【０００１】本発明は中味に蛋白質着色剤を配合する事で白髪が染色され洗髪後も白髪が目立たなくなる白髪一時染毛の中味配合に関するものである。
【背景技術】
【０００２】従来、白髪一時染毛剤は洗髪すると落ちてしまい、白髪が目立ち又つけ直す手間が必要であった。
【発明が解決しようとする課題】
【０００３】白髪一時染毛剤に蛋白質着色剤を中味配合する事で、使用中に白髪が染色され、洗髪後も白髪が目立たなくなることを課題とする。
【課題を解決するための手段】
【０００４】白髪一時染毛剤の中味に蛋白質着色剤を適量配合する。一例を挙げると顔料、アクリル樹脂アルカノールアミン液、エチルアルコール等からなる液状タイプの白髪一時染毛剤に蛋白質着色剤としてジヒドロキシアセトンを適量配合する。白髪一時染毛剤として使用中に白髪が蛋白質着色剤により染毛されるため、洗髪後も白髪が目立たなくなる。
【発明を実施するための最良の形態】
【０００５】白髪一時染毛剤の中味に蛋白質着色剤を配合することで洗髪後も白髪が目立たなくなる。
【実施例】
【０００６】図１は本発明により蛋白質着色剤を配合した白髪一時染毛剤の作成例である。１は中味、２は容器。使用に当たっては２の容器を持ち適量白髪に塗布する。１の中味の処方例は次の通りである。顔料、アクリル樹脂アルカノールアミン液、エチルアルコール、ジヒドロキシアセトン、増粘剤等を適量混合する。
【発明の効果】
【０００７】本発明の蛋白質着色剤配合の白髪一時染毛剤は使用中に白髪が染毛され、洗髪後も白髪が目立たなくなり、再度塗布する手間を少なくすることに役立つ。
【図面の簡単な説明】
【図１】本発明の蛋白質着色剤配合の白髪一時染毛剤の一例である。
【符号の説明】
１中味
２容器
【図１】
2005179327.tif 000003
(57)【要約】      （修正有）【課題】殺菌、防護作用及び抗ウイルス作用を有する入浴剤、軟膏及び乳剤の製造方法を提供する。【解決手段】（１）ナノ二酸化チタンにシクロデキストリン、環状オリゴ糖を混合した液状又は粉末及び固形入浴剤の製造方法及び（２）ナノ二酸化チタンにシクロデキストリン、環状オリゴ糖及びカプサイシンを混合した軟膏剤、乳剤の製造方法。【選択図】なし【特許請求の範囲】
（１）ナノ二酸化チタン、シクロデキストリン、環状オリゴ糖を混合した液状又は粉末及び、固形型の薬用入浴剤の製造方法
（２）ナノ二酸化チタンに、シクロデキストリン、環状オリゴ糖及び、カプサイシンを混合した軟膏剤及び、乳剤の製造方法
【発明の詳細な説明】
（２）産業上の利用分野について  ナノ二酸化チタンとシクロデキストリン、環状オリゴ糖を混合する事で酸化チタンの光触媒効果が相互作用により倍増し、殺菌、防護機能する入浴剤（３）ナノ二酸化チタンとシクロデキストリン、環状オリゴ糖及びカプサイシンを混合する事で、光触媒効果が相互作用に倍増し、軟膏剤、乳剤として殺菌、防護作用及び抗菌、抗ウィルスに作用する（４）実施例  使用方法（入浴剤として）  浴槽  水２００Ｌに対し  ナノ二酸化チタン及び環状オリゴ糖混合分４０〜５０ｇ使用する
(57)【要約】      （修正有）【課題】もぐらの忌避効果が高く、且つ、環境への安全性及び経済性にもすぐれたもぐら忌避剤を提供する。【解決手段】木タール液または竹タール液とニンニクとから成るもぐら忌避剤。【効果】忌避剤は，例えば水田においては漏水箇所となる畦にその被害状況に応じて３０〜２００ｃｍ間隔で深さ１５〜４０ｃｍの穴を掘り，約１０〜１００ｇの本忌避剤を流し込んで埋める，また，畑においては，作物の根が張る箇所をさけて上記同様に施用すればもぐらの忌避に高い効果を発揮できる。しかも，その効果は約２〜６ヶ月にわたって持続する効果がある。木タールおよびニンニクはいずれも天然物であるので，合成化学品と異なり土壌菌によって徐々に分解され土壌を汚染することはない。また，農作物に悪影響を与えない利点もある。【選択図】なし【特許請求の範囲】
【請求項１】
木タール液または竹タール液と，ニンニクとから成ることを特徴とするもぐら忌避剤。
【発明の詳細な説明】
【技術分野】
【０００１】本発明は，農耕地または宅地などにおけるもぐらによる被害を防止するもぐら忌避剤に関する。
〔背影技術〕【０００２】従来，水田や畑などにおけるもぐらの被害は水田においては漏水の問題，畑においては作物の生育阻害などまたは河川における漏水の問題が数多く報告されていた。【０００３】これらのもぐらの被害に対して，現状では，例えば粒状ナフリタンを穴を掘って埋める，唐辛子などの香辛料成分をスプレー状にして穴内に吹込む，あるいは，リング状の成形物を土中に埋めて電池を用いて振動させるなどの忌避用商品が市販されている。
〔発明の開示〕
〔発明が解決しようとする課題〕【０００４】ところが，これらの商品のうち，ナフリタンを用いた商品は効果が劣り，しかも効果の持続期間が短い，香辛料を用いたスプレーは噴射剤として用いるＩＰＡや分散剤などの合成化学品の環境への安全性が懸念されることおよび効果が低いこと，また振動リングを用いた忌避用具も価格が高く効果が確認しにくいなどの欠点があった。
要するに，これらの忌避用の従来商品は環境への安全性，経済性，効果の低さなどで実用性に欠け，技術的に解決が要望されている現状にある。【０００５】本発明は，上述の現状に鑑みなされたもので，もぐらの忌避効果が高く，土壌汚染などの環境への悪影響がなく安全性にすぐれており，しかも使用単価が安く経済性にすぐれたもぐら忌避剤を提供するのを目的としている。
〔課題を解決するための手段〕【０００６】前記目的を達成するために，本発明者は環境への安全面から，天然物でもぐら忌避の効果のある材料を種々検討した結果，
（１）木炭製造時に副生する木酢液が小動物や害虫忌避に効果があることから，木酢液のもぐら忌避剤への適用のテストを重ねたが，水溶性のため土中への吸い込みが早く多量の使用が必要でありしかも効果の持続性に欠けること。
（２）木酢液の静置中に底部に沈降して生成するタール成分（木タール液）は水不溶性で，しかも石炭タールにくらべ有害物を含まず自然界で分解される安全性をもつこと。
（３）土中に穴を掘って約１０〜１００ｇを注入した場合周囲への吸い込みも少ないこと。
（４）木タール液単独での使用よりも，ニンニクと併用するとその理由について学問的説明はついていないが相乗効果を発揮しもぐらの忌避に効果が大きいこと。
（５）竹炭製造時に副生する竹タール液についても木タール液同様の効果があること。
を見いだして本発明を完成したものである。【０００７】すなわち，本発明は木タール液（又は竹タール液以下同様）とニンニクとから成るもぐら忌避剤を要旨としている。
〔発明の効果〕【０００８】本発明忌避剤は，例えば水田においては漏水箇所となる畦にその被害状況に応じて３０〜２００ｃｍ間隔で深さ１５〜４０ｃｍの穴を掘り，約１０〜１００ｇの本忌避剤を流し込んで埋める，また，畑においては，作物の根が張る箇所をさけて上記同様に施用すればもぐらの忌避に高い効果を発揮できる。しかも，その効果は約２〜６ヶ月にわたって持続する効果がある。【０００９】木タールおよびニンニクはいずれも天然物であるので，合成化学品と異なり土壌菌によって徐々に分解され土壌を汚染することはない。
また，農作物に悪影響を与えない利点もある。
〔発明を実施するための最良の形態〕【００１０】本発明忌避剤の組性としては，木タール液に対して１．０〜５０重量％のニンニクを均一に混合した液が用いられる。経済性とニンニクの分散作業性および忌避効果を考慮すれば，ニンニクの１〜１０重量％の使用が好ましい範囲である。【００１１】用いるニンニクとしては，粉末状，ガーリックオイルあるいはすりおろしニンニクのいずれでも用いうるが，経済性，木タール液の分散性および効果の点からおろしニンニクが好適に用いられる。
〔実施例１〕【００１２】市販の木タール液（奈良炭化株式会社製）１００重量部に対し市販おろしニンニク（株式会社ジーエスフード製）５重量部を加え撹拌機で均一に混合する。【００１３】例年もぐらによる害で漏水が見られる柵田の水田の畦（約３０ｍ）の１０ｍ（Ａ域とする）に，上記本発明忌避剤２０ｇを１ｍおきに穴を掘り埋める。
他の１０ｍの畦（Ｂ域とする）には，おろしニンニクを加えない木タール液２０ｇを同様に埋める。
残りの１０ｍの畦（Ｃ域とする）には市販のもぐら忌避剤（イカリ消毒株式会社，成分，ナフリタン，商品名モグラクリン）を処法に従って６０ｃｍおきに穴を掘って各２０ｇを埋める。【００１４】２ヶ月のテスト結果，Ａ域ではもぐらによる水もれの被害が全く見られなかったのに対し，Ｂ域では１ヶ所，Ｃ域  では３ヶ所にもぐらの被害があり水もれを生じた。
〔実施例２〕【００１５】木タール液に市販のニンニク粉末０．５重量％，ガーリックオイル（寿香料株式会社品）０．５重量％を均一にかきまぜて本発明忌避剤とする。【００１６】約１９０ｍ２の野菜畑でもぐらの被害が大きい部分８０ｍ２に１．５ｍ間隔で約３０ｃｍ深さの穴を掘り上記忌避剤２０ｇを埋めた。その結果３ヶ月間にわたり，もぐら被害防止に効果があった。
〔産業上の利用可能性〕【００１７】上述したように，本発明忌避剤は材料面で容易に入手できること，調製および施工に際して作業が簡単であること，その忌避効果が大きいことから農林業における利用の可能性は高いものがある。
(57)【要約】【課題】微小電子デバイスに応用が期待されるシート状銀構造物を電析によって製造する方法を提供する。【解決手段】陽極に炭素棒、陰極に銅板を用いた定電流電解装置に、硝酸銀水溶液とホウ酸水溶液からなる電解質溶液を入れて、硝酸でこの溶液のpHを調節した後、0.1〜2mA/cm2の電流密度で電析を行うことにより、シート状銀構造物を製造する。【選択図】  図１
2005179734.tif 000002
【特許請求の範囲】
【請求項１】
硝酸により、pHを1〜6に調整した0.05〜1モルの硝酸銀水溶液と0.05〜0.5モルのホウ酸水溶液からなる電解質溶液中において、陽極として炭素棒、陰極として銅版を用いて、0.1〜2mA/cm2の電流密度で30分〜8時間、電析を行うことを特徴とするシート状銀構造物の製造方法。
【発明の詳細な説明】
【技術分野】
【０００１】
本発明は、電源装置の電極材料やセンサーとして応用されることが期待されているシート状銀構造物の製造方法に関する。
【背景技術】
【０００２】
銀のナノサイズ構造物としては、球状、三角形状、ナノワイヤーのような種々の形状を有する構造物が検討されている（たとえば、非特許文献1〜4参照。）。
【０００３】
【非特許文献１】「B.H.Hong,ほか、サイエンス(Science)294巻、348頁、2001年。」
【非特許文献２】「Y.Sun,ほか、アドバンスト・マテリアルズ(Adv.Mater.)15巻、641頁、2003年。」
【非特許文献３】「Y.Zhou,ほか、ケミカル・マテリアルズ(Chem.Mater.)11巻、545頁、1999年。」
【非特許文献４】「S.W.Lin,ほか、アドバンスト・マテリアルズ(Adv.Mater.)13巻、656頁、2001年。」
【発明の開示】
【発明が解決しようとする課題】
【０００４】
本発明は、電解還元により新しいシート状銀構造物を製造することを解決すべき課題としている。
【課題を解決するための手段】
【０００５】
0.05〜1モル濃度の硝酸銀水溶液と0.05〜0.5モル濃度のホウ酸水溶液からなる電解質溶液に硝酸を添加して溶液のpHを1〜6に調節する。この電解質溶液に陽極として炭素棒、陰極として銅板を用いて、0.1〜2mA/cm2の電流密度で、30分〜8時間、電解を行うことにより、シート状銀構造物を製造する。
【発明の効果】
【０００６】
本発明により、新規なシート状銀構造物の製造が可能となる。
【発明を実施するための最良の形態】
【０００７】
定電流電解装置を用いて以下の操作を行う。0.05〜1モル濃度の硝酸銀水溶液と0.05〜0.5モル濃度のホウ酸水溶液を含む電解質溶液に硝酸を添加して、pHを1〜6に調節する。この電解質溶液に陽極として炭素棒、陰極として銅板を使用して、0.1〜2mA/cm2の電流密度で30分〜8時間、電析を行うことにより、シート状銀構造物を製造する。このとき、硝酸銀水溶液の濃度が1モルを超えると生成物の構造をシート状形状に制御することが困難であり、0.05モルよりも濃度が薄いと生成物の収量が低下する。
【０００８】
ホウ酸水溶液の濃度が0.5モルを超えると所望の形態の生成物が得られず、0.05モルよりも濃度が薄いと水素の生成を有効に減じることが出来ず、所望の形態の生成物を得ることが困難となる。pHは6を超えると水素が容易に発生するので所望の形態の構造物が得られない。pHが1よりも小さいと溶液中で沈殿が生じやすいので、生成物の形態の制御が難しい。電流密度は2mA/cm2以上では生成物にデンドライトが発生する。0.1mA/cm2以下ではバルクの銀構造物が生成する。電析時間は8時間で十分に電析が起こるのでこれ以上の時間をかける必要はない。30分未満だと収量の低下が著しい。
【０００９】
以上の操作を行うことにより、銀灰色のシート状の銀の構造物が得られる。このシート
状物は厚さが1.5マイクロメートル、幅が数十マイクロメートルの立方晶系の銀である。さらに、その微細構造を見ると、三方向に120°の角度で成長しており、その断面はハニカム状サンドイッチ構造をしている。配列されているシートの一枚の厚さは約25ナノメートルである。
【実施例１】
【００１０】
次に、実施例を示して、さらに具体的に説明する。
（実施例）  陽極に炭素棒、陰極に銅円板を用いた定電流電解装置に、アルドリッチ社製の硝酸銀(純度99.9%)の0.2モル水溶液とアルドリッチ社製のホウ酸（純度99.9%）の0.1モル水溶液を含むように、総量50mlの電解質溶液を作製した。この電解質溶液に0.5モルの硝酸水溶液を加えてpHを3に調節した。0.6mA/cm2の電流密度で3時間電析を行った。陰極の銅円板上に銀灰色のシート状生成物が約1g析出した。
【００１１】
図１aに、銀灰色生成物の走査型電子顕微鏡像の写真を示した。この写真から厚さが1.5マイクロメートルで、幅が数十マイクロメートルのシート状物であることが分かる。図１bに、この生成物のX線回折のパターンを示したが、立方晶系の銀であることが確認された。
【００１２】
図２aに、高分解能走査型電子顕微鏡像の写真を載せたが、それぞれ120°の三方向に配列した銀のシート状物が形成されていることが分かる。また、図２bに、その断面の走査型電子顕微鏡像の写真を示したが、ハニカム状のサンドイッチ構造からなる銀のナノシートが形成されていることが分かる。
【００１３】
図３に、高分解能電子顕微鏡像の写真を示したが、一枚のシートの厚さが25ナノメートルの均一の銀ナノシートからなることが分かった。さらに、高分解能透過型電子顕微鏡像と電子線回折の結果から、面間隔1.44Å、格子定数a=4.08Åを有する単結晶の立方晶系の銀であることが分かった。
【産業上の利用可能性】
【００１４】
本発明により、銀の微細なシート状物が製造可能となったので、ナノメートルサイズのエレクトロニクス分野への応用が期待される。
【図面の簡単な説明】
【００１５】
【図１】図１aは、シート状銀構造物の走査型電子顕微鏡像の図面代用写真である。図１bは、シート状銀構造物のX線回折のパターンである。
【図２】図２aは、シート状銀構造物の表面の高分解能走査型電子顕微鏡像の図面代用写真である。図２bは、シート状銀構造物の断面の高分解能走査型電子顕微鏡像の図面代用写真である。
【図３】均一な厚さを有するシート状銀構造物の高分解能走査型電子顕微鏡像の図面代用写真である。
【図１】
2005179734.tif 000003
【図２】
2005179734.tif 000004
【図３】
2005179734.tif 000005
(57)【要約】      （修正有）【課題】スパッタリング法とイオンプレ−テング法の長所を共有した、即ち高密度のスパッタイオンが得られ、イオンのエネルギー調節ができ、大面積基板にも一様な膜厚が得られ、放電電力が小さくできて高効率、基板洗浄が簡単、低圧力で成膜可能、スパッタイオンの回り込みが容易な成膜方法を提供する。【解決手段】磁場に沿った大電流放電のアルゴン円柱プラズマ流を途中で二つの永久磁石で円盤状シ−トプラズマに変形し、その片面に、磁場に垂直に金属ターゲットを配置し負のバイアス電圧をかけて、ターゲット面から中性のスパッタ粒子を発生させてシートプラズマ流を横切らせて高密度のイオンに変換し、シートプラズマの反対面に配置した、バイアス電圧をかけた基板に成膜する。【選択図】図２
2005179767.tif 000002
【特許請求の範囲】
【請求項１】
シ−ト状プラズマの片面に垂直にスパタされた粒子を、シ−ト状プラズマを横切らせ、イオン化し、反対面の基板にバイアス電圧をかけて成膜する方法。
【発明の詳細な説明】
【発明の詳細な説明】
１、スパタ法、イオンプレ−テング法の比較と長所、短所
スパタ法の長所は、１）成膜金属の溶解−蒸気化が不要である。２）スパタ粒子のエネルギ−が数ｅＶもあり、基板洗浄が簡単で成膜できる。３）大面積の成膜が容易である。短所は、ａ）一般の放電陰極スパタ法のスパタ粒子は低密度である。ｂ）粒子エネルギ−がイオンプレ−テング法のイオンより低く、調節もできない。ｃ）放電陰極スパタ法では高い気体圧力＜１０−３〜１０−２Ｔｏｒｒ＞が必要である。ｄ）粒子の回り込みが困難である。
一方、イオンプレ−テング法の長所は、１）高密度、高速成膜ができる。２）打ち込みイオンエネルギ−高く、調節もできる。３）イオンの回り込みが容易である。大きな短所は、ａ）成膜金属の溶解−蒸気化−プラズマ化が必要である＜大電力を要する＞。ｂ）スパタ粒子に比較してプラズマイオンの初期エネルギ−が小さいのでバイアス電圧をかける前の基板洗浄が大変である。
２、一般のマグネトロンスパタ法の欠点
小電流のグロ−放電の陰極面で局所的にスパタされ、低密度、低電子温度のプラズマ領域を通過して対面の基板にスパタ粒子が中性のままの数ｅＶで達する。かくて、イオンプレ−テング法に比較して低エネルギ−、低密度になり、放電圧力範囲も高くなる。また、この中性スパタ粒子は直進性が強く、基板の凹凸への回り込みも電場で引き付けれないのでイオンプレ−テングより著しく悪くなる。
３、新型スパタ−イオンプレ−テング法
本発明では、上記スパタ法とイオンプ−テング法の長所を共有する装置を具体的に示す。
（１）磁場に沿った大電流の熱陰極放電で円柱状アルゴンプラズマ流を生成する。＜数１０Ｖ、数１０Ａ＞。
（２）円柱状プラズマ流を二つの角形永久磁石＜ＰＭ＞によって大直径円盤状シ−ト形、高密度、高電子温度プラズマ流＜〜１０１１／ｃｃ，〜３０ｅＶ＞に変形する。
（３）上の円盤プラズマの片面に垂直に金属タ−ゲットを配置し、バイアス電圧＜−３００Ｖ程度＞をかけ、アルゴンイオンＡｒ＋の衝撃によりタ−ゲット面から中性のスパタ粒子を発生させる。
（４）上の中性スパタ粒子を高密度、高電子温度の大円盤シ−トプラズマ流を横切らせ、強く電離させ、中性スパタ粒子からスパタ−イオン＜高密度＞にに変換する。
（５）タ−ゲットの反対面の基板にバイアス電圧＜数１０Ｖ＞をかけてスパタ−イオンプレ−テングにより成膜する。
［発明の効果］
スパタ法とイオンプレ−テング法の長所を共有した。即ち、（イ）高密度のスパタ−イオン（＞１０１０／ｃｃも可）。（ロ）イオンのエネルギ−調節ができて、０．１〜５０ｅＶも可能。（ハ）一様な大面積化も簡単＜直径４０ｃｍも容易＞。（ニ）放電電力が小さくできて高効率。（ホ）基板洗浄が簡単。（ヘ）低圧力＜〜１０−５Ｔｏｒｒ台も可能＞。（ト）スパタ−イオンの回り込み容易。
【図面の簡単な説明】
【図１】円盤プラズマの表面構成図
【図２】円盤プラズマの厚み方向構成図
【符号の説明】
図１で、１は放電陽極、２は磁場コイル、３は永久磁石（ＰＭ）、４はアルゴンの円柱プラズマ流、５は放電陰極側、６は円盤プラズマ表面（直径〜４０ｃｍ）。
図２で、７は円盤プラズマの厚み方向−強電離領域、８はスパタ金属タ−ゲット、９はバイアス電圧、１０はアルゴンイオンＡｒ＋、１１はスパタ中性粒子、１２はスパタイオン、１３は基板、１４は基板バイアス電圧。
【図１】
2005179767.tif 000003
【図２】
2005179767.tif 000004
(57)【要約】【課題】  柔軟性容器中に収納された固体のレゾルシンの性状改良方法であって、比較的簡単な操作により少なくとも部分的に固結したレゾルシンの固結状態を解消し、よってその後のハンドリング性を高めることができるという優れた効果を有する固体のレゾルシンの性状改良方法を提供する。【解決手段】  柔軟性容器中に収納された固体のレゾルシンの性状改良方法であって、容器の外部からレゾルシンを押圧して解す（ほぐす）操作を行なう固体のレゾルシンの性状改良方法。レゾルシンを得る方法としては、特に制限はないが、メタジイソプロピルベンゼンを酸化してメタジイソプロピルベンゼンジヒドロパーオキシドとし、該メタジイソプロピルベンゼンジヒドロパーオキシドを酸分解してレゾルシンとし、更に、純度を高めるために蒸留操作に付され、冷却して製品としての固体のレゾルシンを得る方法をあげることができる。【選択図】      なし【特許請求の範囲】
【請求項１】
柔軟性容器中に収納された固体のレゾルシンの性状改良方法であって、容器の外部からレゾルシンを押圧して解す（ほぐす）操作を行なう固体レゾルシンの性状改良方法。
【請求項２】
解し（ほぐし）操作を行う時及びその後の保管時の該レゾルシン温度が、３０℃以下である請求項1記載の方法。
【請求項３】
柔軟性容器が、紙袋又は樹脂袋である請求項１記載の方法。
【請求項４】
レゾルシンがフレ−ク状を有している請求項１記載の方法。
【発明の詳細な説明】
【技術分野】
【０００１】
本発明は、固体のレゾルシンの性状改良方法に関するものである。更に詳しくは、本発明は、柔軟性容器中に収納された固体のレゾルシンの性状改良方法であって、比較的簡単な操作により、少なくとも部分的に固結したレゾルシンの固結状態を解消し、よってその後のハンドリング性を高めることができるという優れた効果を有する固体のレゾルシンの性状改良方法に関するものである。
【背景技術】
【０００２】
工業的に製造されるレゾルシン（メタジヒドロキシベンゼン）は、蒸留などの精製に付され、冷却されてフレーク状の製品として得られるのが一般である（たとえば、特許文献１参照。）。得られたレゾルシンは紙袋、樹脂袋等の柔軟性容器に収納されて保管される。ところが、該保管中にレゾルシンが相互に固結し、著しい場合は全体が固結して、その後のハンドリング性を低下させるという問題がある。
【０００３】
【特許文献１】特開昭６０−３２９０号公報
【発明の開示】
【発明が解決しようとする課題】
【０００４】
かかる状況において、本発明が解決しようとする課題は、柔軟性容器中に収納された固体のレゾルシンの性状改良方法であって、比較的簡単な操作により、少なくとも部分的に固結したレゾルシンの固結状態を解消し、よってその後のハンドリング性を高めることができるという優れた効果を有する、固体のレゾルシンの性状改良方法を提供する点にある。
【課題を解決するための手段】
【０００５】
すなわち、本発明は、柔軟性容器中に収納された固体のレゾルシンの性状改良方法であって、容器の外部からレゾルシンを押圧して解す（ほぐす）操作を行なう固体のレゾルシンの性状改良方法に係るものである。
【発明の効果】
【０００６】
本発明により、柔軟性容器中に収納された固体のレゾルシンの性状改良方法であって、比較的簡単な操作により少なくとも部分的に固結したレゾルシンの固結状態を解消し、よってその後のハンドリング性を高めることができるという優れた効果を有する固体のレゾルシンの性状改良方法を提供することができる。
【発明を実施するための最良の形態】
【０００７】
本発明が対象とするレゾルシンを得る方法としては、特に制限はないが、メタジイソプロピルベンゼンを酸化してメタジイソプロピルベンゼンジヒドロパーオキシドとし、該メタジイソプロピルベンゼンジヒドロパーオキシドを酸分解してレゾルシンとし、更に、純度を高めるために蒸留操作に付され、冷却して製品としての固体のレゾルシンを得る方法をあげることができる（たとえば、特許文献１参照。）。なお、固体のレゾルシンは、フレーク状のものとして得られる場合が多い。
【０００８】
得られた固体のレゾルシンは柔軟性容器中に収納されて保管される。柔軟性容器としては、紙袋及び樹脂袋をあげることができる。容器の容量は、特に制限は無いが、通常２０〜１０００ｋｇ入りである。
【０００９】
本発明によらない場合、保管中のレゾルシンは、相互に固結し、著しい場合は全体が固結して、容器からの排出を困難になるなど、その後のハンドリング性を低下させる。
【００１０】
本発明の最大の特徴は、容器の外部からレゾルシンを押圧して解す（ほぐす）操作を行なう点にある。
【００１１】
押圧して解す操作に先立って、レゾルシンを温度３０℃以下になるまで保存することが好ましい。この間に、容器内のレゾルシンが相互に固結し硬くなることがある。硬くなったレゾルシンは、容器の外部から押圧して解される。押圧して解す方法に制限は無いが、２５ｋｇの紙袋の場合、工業的場面において効率的に実施する方法として下記の装置を用いる方法をあげることができる。
【００１２】
装置はベルトコンベア、ローラコンベア等の容器を搬送する手段（搬送手段）と該搬送手段の途中に設置され、搬送中の容器の外部が容器を押圧する手段（押圧手段）を含むものである。押圧手段としては、搬送手段の上部又は側部に固定して設けられたローラをあげることができる。搬送されてきた容器はローラにより押圧され、解されるのである
又、５００〜６００ｋｇ入りの樹脂袋（フレコン）の場合については、例えばクランプフォ−クを使用して押圧し、解される。
【実施例】
【００１３】
次に本発明を実施例により説明する。
【００１４】
比較例１
メタジイソプロピルベンゼンを酸化してメタジイソプロピルベンゼンジヒドロパーオキシドとし、該メタジイソプロピルベンゼンジヒドロパーオキシドを酸分解してレゾルシンとし、更に、純度を高めるために蒸留操作に付され、冷却して得られたフレーク状のレゾルシンを用いた。樹脂袋である容器に、６００ｋｇのレゾルシンを充填した。充填直後のレゾルシンの温度は３３℃であった。レゾルシンを充填した容器を室温中に１０日間保存した。その間、レゾルシンの温度は１５℃まで低下し、容器中のレゾルシンは全体が固結した。固結したレゾルシンを容器から排出しようとしたが、困難であった。
【００１５】
実施例１
比較例１と同様に保管してあったレゾルシンを収納した容器を、押圧して解す操作に付した。操作により、容器中に固結していたレゾルシンは効率よく解され、固結状態が解消された。該レゾルシンを容器から排出したところ、排出時間は約５秒であり、極めて効率的であった。別途、同様に解され、容器中に収納されたレゾルシンをそのまま容器中で６０日間保管した。保管後、排出操作をおこなったところ、排出時間は約３０秒であり、実用上問題がなかった。
(57)【要約】      （修正有）【課題】  ＤＭＥ（ジメチルエーテル）及びＬＰＧに対する耐性を有する潤滑剤を提供する。【解決手段】  ジメチルエーテルのガスまたは液体と接触する部材に含浸あるいは塗布するための潤滑剤であって、主鎖に２価パーフロロポリエーテル構造を有する潤滑油、または前記潤滑剤を基油とするグリースであることを特徴とする耐ＤＭＥ性ふっ素系潤滑剤。【選択図】  なし【特許請求の範囲】
【請求項１】
ジメチルエーテルのガスまたは液体と接触する部材に含浸あるいは塗布するための潤滑剤であって、主鎖に２価パーフロロポリエーテル構造を有する潤滑油であることを特徴とする耐ジメチルエーテル性ふっ素系潤滑剤。
【請求項２】
前記潤滑油を基油とするグリースであることを特徴とする請求項１記載の耐ジメチルエーテル性ふっ素系潤滑剤。
【発明の詳細な説明】
【技術分野】
【０００１】
本発明は、ジメチルエーテル（以下、「ＤＭＥ」と略す）を製造・貯蔵・輸送・供給・使用する段階で、気体または液体のＤＭＥと接触する装置・機器に使用される部材に含浸あるいは塗布するのに適した潤滑剤に関する。
【背景技術】
【０００２】
各種産業の装置・機器に幅広く使用されているＯリングやパッキンは、接合面とのなじみを良くしたり、シール性あるいは耐久性を向上させることを目的として潤滑剤が塗布されることが多い。ＬＰＧ業界においても、一次基地・二次基地・充填所等の供給設備や外航船、沿岸船、タンクローリ等の輸送設備において、配管の接続部分やバルブ等の機器にゴム系シール材が使用されており、シール性や耐久性を向上させる目的で鉱油や合成油等の潤滑油、あるいはこれら潤滑油を基油とするグリースが塗布されている（例えば、特許文献１参照）。
【０００３】
一方で、ＬＰＧは供給の約８割を輸入に依存し、かつ輸入の約８割を中東に依存している上に、近年、中国・インド等のアジア諸国において所得水準の上昇に伴い、分散型燃料としてのＬＰＧの需要が急増しつつあり、需給の逼迫による価格の高値安定が恒常化しつつあるという問題が発生している。このような情勢を受けて、新たなエネルギー源を見つけようという動きが活発になっており、ＬＰＧ代替燃料としてＬＮＧやＧＴＬが注目されているが、ＬＮＧやＧＴＬは他の代替燃料、特にＤＭＥと比べて、プラントの建設費用が高いという問題がある。
【０００４】
その他の代替燃料の中で、ＤＭＥはＣＨ３ＯＣＨ３という化学構造を有し、通常は天然ガス・随伴ガス・石炭等をガス化して得られる合成ガス(ＣＯ２、Ｈ２)を原料としてＤＭＥ合成によって得られ、燃やした時に煤塵・ＳＯｘが発生せず、ＮＯｘも少ないというクリーンな特徴を有することから、発電用・ボイラー用・家庭用・自動車用等の燃料としての利用が検討されている。しかも、このＤＭＥは蒸気圧のような物理的性状がＬＰＧに似ていることから、ＬＰＧのインフラを活用することが可能と考えられており、近年ではＬＰＧの代替燃料としてＤＭＥを利用しようとする動きが高まってきている。
【０００５】
しかし、ＤＭＥは化学的にはエーテルに分類され、パラフィン系炭化水素であるプロパンやブタンからなるＬＰＧとは化学的性質が全く異なり、プラスチックやゴムなどの有機化合物に対して、ガス透過性が高く、膨潤や溶解させやすいという特徴を有している。潤滑剤についても同様であり、従来のＬＰＧ用に用いられていた合成油やグリースはＤＭＥと接触することで容易に抽出されてしまい、十分にその機能を果たすことができない懸念がある。
【０００６】
【特許文献１】特開平１０−２７４３３６号公報
【発明の開示】
【発明が解決しようとする課題】
【０００７】
このように、ＤＭＥがＬＰＧの代替燃料として有力な候補として注目されている中で、ＬＰＧのインフラをそのまま使用できるようにするためには、ＤＭＥに対する耐性の高い材料の開発が急務となっている。そこで、本発明は、ＤＭＥ及びＬＰＧに対する耐性を有する潤滑剤を提供することを目的とする。
【課題を解決するための手段】
【０００８】
本発明者らは、上記のような課題を解決すべく検討を重ねたところ、特定のふっ素系潤滑が耐ＤＭＥ性及び耐ＬＰＧ性を示すことを見出し、本発明を完成するに至った。
【０００９】
即ち、上記目的を達成するために、本発明は、ジメチルエーテルのガスまたは液体と接触する部材に含浸あるいは塗布するための潤滑剤であって、主鎖に２価パーフロロポリエーテル構造を有する潤滑油であることを特徴とする耐ジメチルエーテル性ふっ素系潤滑剤、並びに前記潤滑油を基油とするグリースであることを特徴とする前記耐ジメチルエーテル性ふっ素系潤滑剤を提供する。
【発明の効果】
【００１０】
本発明の潤滑剤を用いることにより、ＤＭＥ、更にはＬＰＧと接触する装置・機器のシール性能を良好に維持することができる。
【発明を実施するための最良の形態】
【００１１】
以下、本発明に関して詳細に説明する。
【００１２】
本発明の耐ＤＭＥ性ふっ素系潤滑剤は、主鎖に２価パーフロロポリエーテル構造を有する潤滑油であり、例えば、下記一般式（１）で表されるものが挙げられるが、これらに限定されない。尚、ｎは５〜１００、より好ましくは１５〜５０である。
Ｆ（Ｃ３Ｆ６Ｏ）ｎＣ２Ｆ５    ・・・（１）
【００１３】
上記の耐ＤＭＥ性ふっ素系潤滑剤は、そのままの状態で使用してもよく、グリースとすることもできる。グリースにするには、上記の耐ＤＭＥ性ふっ素系潤滑剤を基油とし、これに増ちょう剤を混和すればよい。増ちょう剤は耐ＤＭＥ性ふっ素系潤滑剤をグリース性状に維持できるものであれば制限がないが、ＰＴＦＥ、金属石鹸（Ｌｉ、Ｃａ、Ｎａ、Ａｌ）、有機物（ジウレア、テトラウレア化合物）、有機ベントナイト、カーボンブラック、無機フィラー、シリカゲル、グラファイト、ナトリウムテレフタラメート等が適当である。このようなグリースとして、例えばダウコーニングアジア（株）より「モリコートＨＰグリース」やダイキン工業（株）より「デムナムグリース」の商品名で市販されているものを使用することもできる。
【００１４】
本発明の耐ＤＭＥ性ふっ素系潤滑剤の使用方法としては、シール箇所に直接塗布してもよく、Ｏリングやパッキン等のシール部材に含浸させ、これをシール箇所に装着することもできる。
【実施例】
【００１５】
以下、実施例と比較例を挙げて本発明を更に具体的に説明するが、本発明は下記の実施例に限定されるものではない。
【００１６】
（実施例１〜５、比較例１〜５）
表１に示す潤滑剤を、水素化アクリロニトリルゴム製のＯリングに一定量含浸させ、試験片を得た。
【００１７】
【表１】
2005179552.tif 000002
【００１８】
上記ＯリングをＪＩＳ Ｋ  ６２５８に準ずる方法でＤＭＥに浸漬させ、浸漬前後における重量を測定し、ＤＭＥによるグリースの抽出の違いを評価した。試験結果を表２に示す。
【００１９】
【表２】
2005179552.tif 000003
【００２０】
表２から判るように、本発明にかかる各実施例の潤滑剤は、ＤＭＥによる抽出がほとんどなく、耐ＤＭＥ性に優れている。